(57)【要約】    【課題】任意の長さに調節することが可能であり、しかも容易に調節することが出来る棒状部材の伸縮機構、及びこれを備える人体移動介助装置の提供。    【解決手段】棒状部材の伸縮機構１は、角筒部２、角棒部３、ピン４、当接部５、化粧ナット６、カム部７、カム受け部８及び受け部収納部９を備える。角棒部３が角筒部２の任意の位置にあるときに、カム部７のレバー部７ｄが回転させられると軸支持部７ｃが回転し、この回転に伴って、軸部７ｂは角筒部２の外側へ移動する。この移動に従って、軸部７ｂに支持されたピン４も移動するので、ピン４の他端側に取り付けられた当接部５が角棒部３を押圧し、角棒部３の外面が角筒部２の内面を押圧し、角棒部３が角筒部２に対して固定される。【選択図】図３
2007014586.tif 000002
【特許請求の範囲】
【請求項１】
ピンと、
該ピンの一端部に螺合される当接部材と、
一側面に設けられており、上記ピンを挿通させるピン挿通孔、及び上記一側面と対向する側面に設けられており、上記当接部材を挿通させる当接部挿通孔を備える筒状部材と、
その長手方向に長手方向を一致させて貫通孔が設けられており、上記筒状部材に嵌められて、上記貫通孔に上記ピンを挿通させた状態で、該筒状部材の内部を摺動すべく構成されている棒状部材と、
上記ピンの他端部が軸着される軸部、その中心軸から上記軸部の中心軸をずらした状態で、上記軸部を支持する軸支持部、及びレバー部を備えており、該レバー部を回転させることで、上記ピンが該ピンの他端側へ移動すべく構成されているカム部材と
を有する棒状部材の伸縮機構。
【請求項２】
ピンと、
該ピンの一端部に螺合される当接部材と、
一側面に設けられており、上記ピンを挿通させるピン挿通孔、及び上記一側面と対向する側面に設けられており、上記当接部材を挿通させる当接部挿通孔を備える筒状部材と、
その長手方向に長手方向を一致させて貫通孔が設けられており、上記筒状部材に嵌められて、上記貫通孔に上記ピンを挿通させた状態で、該筒状部材の内部を摺動すべく構成されている棒状部材と、
上記ピンの他端部が軸着される軸部、その中心軸から上記軸部の中心軸をずらした状態で、上記軸部を支持する軸支持部、及びレバー部を備えており、該レバー部を回転させることで、上記ピンが該ピンの他端側へ移動すべく構成されているカム部材と
を有する棒状部材の伸縮機構
を備える人体移動介助装置。
【発明の詳細な説明】
【技術分野】
【０００１】
本発明は、棒状部材の伸縮機構、及びこれを備える歩行器、車椅子等の人体移動介助装置に関する。
【背景技術】
【０００２】
歩行器、車椅子等の人体移動介助装置においては、これを使用する者の身体の幅に合わせて、その幅が調節出来るように構成されているものがある。
【０００３】
図８は、そのような人体移動介助装置等に用いられている、従来の棒状部材の伸縮機構３１が示された断面図である。この棒状部材の伸縮機構３１は、筒部３２、芯棒部３３、ボルト３４及びナット３５を備える。筒部３２の端部には、ボルト３４を挿通させるボルト挿通孔３２ａが設けられており、芯棒部３３には、このボルト挿通孔３２ａと同径の４つの挿通孔３３ａが設けられている。芯棒部３３は筒部３２内を摺動出来るように構成されている。
【０００４】
この棒状部材の伸縮機構３１において、使用者は、芯棒部３３を筒部３２の内部に嵌めた状態で、人体移動介助装置を所望の幅にするための挿通孔３３ａを選択し、選択した挿通孔３３ａをボルト挿通孔３２ａに一致させて、ボルト３４をこれらの孔に挿し通し、挿し通されたボルト３４の端部をナット３５で締め付けて、芯棒部３３を筒部３２に固定する。
【発明の開示】
【発明が解決しようとする課題】
【０００５】
しかし、上記棒状部材の伸縮機構３１においては、幅は、挿通孔３３ａの位置に対応した４段階のみ調整が可能であり、任意の幅に調整することが出来ないという問題がある。また、幅の調整の度にボルト挿通孔３２ａ及び挿通孔３３ａからボルト３４を抜かなければならず、作業が煩雑であるという問題がある。
【０００６】
本発明の目的は、任意の長さに調節することが可能であり、しかも容易に調節することが出来る棒状部材の伸縮機構、及びこれを備える人体移動介助装置の提供にある。
【課題を解決するための手段】
【０００７】
本発明に係る棒状部材の伸縮機構は、
（１）ピン、
（２）ピンの一端部に螺合される当接部材、
（３）一側面に設けられており、ピンを挿通させるピン挿通孔、及び上記一側面と対向する側面に設けられており、当接部材を挿通させる当接部挿通孔を備える筒状部材、
（４）その長手方向に長手方向を一致させて貫通孔が設けられており、筒状部材に嵌められて、上記貫通孔にピンを挿通させた状態で、この筒状部材の内部を摺動すべく構成されている棒状部材
及び
（５）ピンの他端部が軸着される軸部、その中心軸から上記軸部の中心軸をずらした状態で、軸部を支持する軸支持部、及びレバー部を備えており、このレバー部を回転させることで、ピンがこのピンの他端側へ移動すべく構成されているカム部材
を有する。
【０００８】
本発明に係る人体移動介助装置は、
（１）ピン、
（２）ピンの一端部に螺合される当接部材、
（３）一側面に設けられており、ピンを挿通させるピン挿通孔、及び上記一側面と対向する側面に設けられており、当接部材を挿通させる当接部挿通孔を備える筒状部材、
（４）その長手方向に長手方向を一致させて貫通孔が設けられており、筒状部材に嵌められて、上記貫通孔にピンを挿通させた状態で、この筒状部材の内部を摺動すべく構成されている棒状部材
及び
（５）ピンの他端部が軸着される軸部、その中心軸から上記軸部の中心軸をずらした状態で、軸部を支持する軸支持部、及びレバー部を備えており、このレバー部を回転させることで、ピンがこのピンの他端側へ移動すべく構成されているカム部材
を有する棒状部材の伸縮機構を備える。
【発明の効果】
【０００９】
本発明に係る棒状部材の伸縮機構は、棒状部材が任意の位置にあるときに、カム部材のレバー部を回転させることで、ピンが移動し、これに従い当接部材が棒状部材を押圧して、他側で棒状部材の外面が筒状部材の内面に当接し、棒状部材が摺動することが出来なくなって棒状部材が筒状部材に固定される。従って、容易に、任意の長さに伸縮され得る。
【００１０】
本発明に係る人体移動介助装置は、上記棒状部材の伸縮機構を備えるので、容易に、任意の幅に変更され得る。
【発明を実施するための最良の形態】
【００１１】
以下、適宜図面が参照されつつ、好ましい実施形態に基づいて本発明が詳細に説明される。
【００１２】
図１は、本発明の一実施形態に係る伸縮機構１が示された斜視図、図２はその分解平面図、図３は横断面図、図４は図３のIV-IV 線断面図である。
【００１３】
この伸縮機構１は、角筒部２、角棒部３、ピン４、当接部５、化粧ナット６、カム部７、カム受け部８及び受け部収納部９を備える。角筒部２の正面側の側面には、ピン４を挿通させるピン挿通孔２ａが設けられており、これと対向する側面には、当接部５を挿通させる当接部挿通孔２ｂが設けられている。角棒部３には、角棒部３の長手方向に長手方向が一致した状態で、角棒部３の幅方向に貫通する、貫通孔３ａが設けられている。角棒部３は、その貫通孔３ａにピン４を挿通させた状態で、角筒部２に嵌められて、角筒部２の内部を摺動出来るように構成されている。
【００１４】
ピン４の一端部には雄ねじ４ａが設けられており、他端部にはリング部４ｂが設けられている。カム受け部８は、後述するカム部７の軸支持部７ｃの外周面に一致する形状を有する凹部８ａを備えており、カム受け部８は受け部収納部９の内側に収納されている。当接部５は、端部が他の部分より大径であり、中央部には雌ねじ５ａが設けられている。
【００１５】
ピン４は、カム受け部８及び受け部収納部９を介在させた状態で、角筒部２のピン挿通孔２ａ及び当接部挿通孔２ｂを挿し通されている。そして、雄ねじ４ａに雌ねじ５ａが螺合されて、ピン４の端部に当接部５が留められており、さらに、ピン４の先端部には化粧ナット６が留められている。
【００１６】
カム部７は、軸部留め部７ａ、軸部７ｂ、軸支持部７ｃ及びレバー部７ｄを備える。ピン４のリング部４ｂは、リング部４ｂの孔の中心軸を鉛直方向に一致させた状態で配されており、このリング部４ｂの孔に軸部７ｂが挿通されている。軸支持部７ｃは、軸支持部７ｃの中心軸から軸部７ｂの中心軸が少し外側にずれた状態で、軸部７ｂを支持している。軸部７ｂは、軸支持部７ｃの外面に、軸部７ｂより大径の軸部留め部７ａによって固定されている。
【００１７】
図５は、この伸縮機構１の動作を説明するための断面図である。カム部７のレバー部７ｄが図中、矢印Ａの方向に回転させられると、軸支持部７ｃが回転する。軸支持部７ｃの中心軸から軸部７ｂの中心軸が少し外側にずれているので、この回転に伴い、軸部７ｂは角筒部２から遠ざかる方向（図中、矢印Ｂの方向）へ移動する。軸部７ｂが矢印Ｂの方向に移動するのに従って、これに支持されたピン４も移動するので、ピン４の他端側に取り付けられた当接部５が角棒部３を押圧し、角棒部３も矢印Ｂの方向へ移動する。これにより角棒部３の外面が角筒部２の内面に当接し、この外面と内面との摩擦力によって、角筒部２に対して角棒部３が左右に摺動するのが阻止される。
【００１８】
この伸縮機構１によれば、角棒部３が角筒部２の任意の位置にあるときに、カム部材７のレバー部７ｄを回転させることで、角棒部３が角筒部２に固定されるので、角筒部２と角棒部３とを合わせた全長が所望の長さに調整され得る。従って、無段階で長さの調整をすることが可能である。また、この長さの調整は、角筒部２にピン４が挿通された状態で、当接部５及び化粧ナット６の締め付けを緩めたりこれらを取り外したりすることなく、容易に行い得る。
【００１９】
なお、本実施形態の棒状部材の伸縮機構においては、筒状部材及び棒状部材が角状である場合につき説明しているがこれに限定されるものではなく、丸状であってもよい。また、本実施形態においては、棒状部材が中実である場合につき説明しているが、パイプ状であってもよい。
【００２０】
図６は、本発明の他の実施形態に係る歩行器１１の上部が示された斜視図であり、図７は、図６の一部拡大横断面図である。この歩行器１１の上部は、一対のアームレスト１２、４本の支持パイプ１３、小フレーム１４、大フレーム１５、ピン１６、カム部１７、受け部１８、受け部収納部１９、当接部２０及び化粧ナット２１を備える。
【００２１】
角筒状の大フレーム１５の正面側の側面には、ピン１６を挿通させるピン挿通孔１５ａが設けられており、反対側の側面には、当接部２０を挿通させる当接部挿通孔１５ｂが設けられている。小フレーム１４には、小フレーム１４の長手方向に長手方向が一致し、小フレーム１４の幅方向に貫通する、貫通孔１４ａが設けられている。小フレーム１４は大フレーム１５に嵌められて、貫通孔１４ａにピン１６を挿通させた状態で、大フレーム１５の内部を摺動出来るように構成されている。
【００２２】
ピン１６の一端部には雄ねじ１６ａが設けられており、他端部にはリング部１６ｂが設けられている。カム受け部１８は、受け部収納部１９の内側に収容されている。当接部２０は、端部が他の部分より大径であり、中央部には雌ねじ２０ａが設けられている。
【００２３】
ピン１６は、カム受け部１８及び受け部収納部１９を介在させた状態で、大フレーム１５のピン挿通孔１５ａ及び当接部挿通孔１５ｂを挿し通されている。そして、雄ねじ１６ａに雌ねじ２０ａが螺合されて、ピン１６の端部に当接部２０が留められており、さらに、ピン１６の先端部には化粧ナット２１が留められている。
【００２４】
カム部１７は、軸部留め部１７ａ、軸部１７ｂ、軸支持部１７ｃ及びレバー部１７ｄを備える。ピン１６のリング部１６ｂは、リング部１６ｂの孔の中心軸を鉛直方向に一致させた状態で配されており、このリング部１６ｂの孔に軸部１７ｂが挿通されている。軸支持部１７ｃは、軸支持部１７ｃの中心軸から軸部１７ｂの中心軸が少し外側にずれた状態で、軸部１７ｂを支持している。軸部１７ｂは、軸支持部１７ｃの外面に、軸部１７ｂより大径の軸部留め部１７ａによって固定されている。
【００２５】
カム部１７のレバー部１７ｄが回転させられると、軸支持部１７ｃが回転する。軸支持部１７ｃの中心軸から軸部１７ｂの中心軸が少し外側にずれているので、この回転に伴い、軸部１７ｂは大フレーム１５から遠ざかる方向へ移動する。軸部１７ｂが移動するのに従って、これに支持されたピン１６も移動するので、ピン１６の他端側に取り付けられた当接部２０が小フレーム１４を押圧し、小フレーム１４も外側へ移動する。これにより小フレーム１４の外面が大フレーム１５の内面に当接し、大フレーム１５に対し小フレーム１４が相対的に摺動するのが阻止される。
【００２６】
この歩行器１１によれば、小フレーム１４が大フレーム１５の任意の位置にあるときに、カム部材１７のレバー部１７ｄを回転させることで、小フレーム１４が大フレーム１５に固定されるので、小フレーム１４と大フレーム１５とを合わせた全長が所望の長さに調整され得る。従って、無段階で長さの調整をすることが可能であり、この歩行器１１を利用する者の身体の幅に合わせて、随意にフレームの幅を変更することが出来る。また、この幅の調整は、大フレーム１５にピン１６が挿通された状態で、当接部２０及び化粧ナット２１の締め付けを緩めたり取り外したりすることなく、容易に行い得る。
【産業上の利用可能性】
【００２７】
本発明に係る棒状部材の伸縮機構は、歩行器、車椅子等の人体移動介助装置に適用され得る。
【図面の簡単な説明】
【００２８】
【図１】図１は、本発明の一実施形態に係る棒状部材の伸縮機構が示された斜視図である。
【図２】図２は、図１の棒状部材の伸縮機構が示された分解平面図である。
【図３】図３は、図１の棒状部材の伸縮機構の横断面図である。
【図４】図４は、図３のIV-IV 線に沿った断面図である。
【図５】図５は、図１の棒状部材の伸縮機構の横断面図である。
【図６】図６は、本発明の他の実施形態に係る歩行器の上部が示された斜視図である。
【図７】図７は、図６の歩行器が示された一部拡大横断面図である。
【図８】図８は、従来の棒状部材の伸縮機構が示された横断面図である。
【符号の説明】
【００２９】
１・・・棒状部材の伸縮機構
２・・・角筒部
３・・・角棒部
４・・・ピン
５・・・当接部
６・・・化粧ナット
７・・・カム部
７ａ・・・軸部留め部
７ｂ・・・軸部
７ｃ・・・軸支持部
７ｄ・・・レバー部
８・・・カム受け部
９・・・受け部収納部
１１・・・歩行器
１２・・・アームレスト
１３・・・支持パイプ
１４・・・小フレーム
１５・・・大フレーム
１６・・・ピン
１７・・・カム部
１８・・・受け部
１９・・・受け部収納部
２０・・・当接部
２１・・・化粧ナット
【図１】
2007014586.tif 000003
【図２】
2007014586.tif 000004
【図３】
2007014586.tif 000005
【図４】
2007014586.tif 000006
【図５】
2007014586.tif 000007
【図６】
2007014586.tif 000008
【図７】
2007014586.tif 000009
【図８】
2007014586.tif 000010